(57)【要約】【課題】部品点数を低減可能な電子部品モジュールを提供する。【解決手段】電子部品モジュールは、リレー６を含む電子部品と、導電部材と、第一筐体構成部２と、第一筐体構成部と係合して筐体１０を構成する第二筐体構成部３と、を備え、第一筐体構成部および第二筐体構成部は、互いに係合することで、外部空間から遮蔽され、かつ電子部品を収容する収容空間４５を筐体の内部に形成し、電子部品は、筐体における収容空間を形成する壁面４０ｃにおいて導電部材に面実装されている。【選択図】図８
2018113184.tif 000002
【特許請求の範囲】
【請求項１】
リレーを含む電子部品と、
導電部材と、
第一筐体構成部と、
前記第一筐体構成部と係合して筐体を構成する第二筐体構成部と、を備え、
前記第一筐体構成部および前記第二筐体構成部は、互いに係合することで、外部空間から遮蔽され、かつ前記電子部品を収容する収容空間を前記筐体の内部に形成し、
前記電子部品は、前記筐体における前記収容空間を形成する壁面において前記導電部材に面実装されている
ことを特徴とする電子部品モジュール。
【請求項２】
更に、相手側コネクタと嵌合する嵌合部と、前記収容空間側から前記嵌合部に向けて前記導電部材の端子部が貫通する貫通孔とを有し、前記筐体の凹部に係合するコネクタブロックを備える
請求項１に記載の電子部品モジュール。
【請求項３】
前記コネクタブロックは、前記第一筐体構成部と前記第二筐体構成部とが係合する係合方向に対して直交する方向で前記凹部に対して挿入され、
前記第一筐体構成部は、挿入される前記コネクタブロックを案内する第一ガイド部を有し、
前記第二筐体構成部は、挿入される前記コネクタブロックを案内する第二ガイド部を有し、
前記コネクタブロックは、前記第一ガイド部によって案内される第一被案内部および前記第二ガイド部によって案内される第二被案内部を有し、
前記第一被案内部は、前記係合方向における前記第二筐体構成部側とは反対側から前記第一ガイド部を係止する第一係止面を有し、
前記第二被案内部は、前記係合方向における前記第一筐体構成部側とは反対側から前記第二ガイド部を係止する第二係止面を有する
請求項２に記載の電子部品モジュール。
【請求項４】
前記導電部材は、前記筐体の壁部の内部を通るように前記筐体にインサート成型されたバスバーであり、
前記筐体は、前記バスバーにおける前記電子部品との接続部を露出させる開口を有する
請求項１から３の何れか１項に記載の電子部品モジュール。
【請求項５】
前記筐体は、前記筐体を収容する収容部に形成された筐体用ガイド部によって案内されるリブを有し、
前記リブは、前記筐体が前記収容部に対して挿入される挿入方向に沿って延在し、
前記リブにおいて、前記挿入方向に沿った一部の範囲は前記第一筐体構成部に設けられ、他の範囲が前記第二筐体構成部に設けられている
請求項１から４の何れか１項に記載の電子部品モジュール。
【発明の詳細な説明】
【技術分野】
【０００１】
本発明は、電子部品モジュールに関する。
【背景技術】
【０００２】
従来、電子部品を収容したモジュールがある。例えば、特許文献１には、一対の分割ハウジングの内側に回路体と、回路体に接続した電気部品とを装着し、一対の分割ハウジングを接合した状態でケース内に収容し、ケースでコネクタのフード部を構成したコネクタ構造およびこのコネクタ構造を備える接続モジュールの技術が開示されている。
【先行技術文献】
【特許文献】
【０００３】
【特許文献１】特開２００６−４９１８０号公報
【発明の概要】
【発明が解決しようとする課題】
【０００４】
電子部品を収容した電子部品モジュールにおいて、部品点数を低減できることが望まれている。部品点数の低減は、モジュールの小型化や低コスト化を図る上で有利である。
【０００５】
本発明の目的は、部品点数を低減可能な電子部品モジュールを提供することである。
【課題を解決するための手段】
【０００６】
本発明の電子部品モジュールは、リレーを含む電子部品と、導電部材と、第一筐体構成部と、前記第一筐体構成部と係合して筐体を構成する第二筐体構成部と、を備え、前記第一筐体構成部および前記第二筐体構成部は、互いに係合することで、外部空間から遮蔽され、かつ前記電子部品を収容する収容空間を前記筐体の内部に形成し、前記電子部品は、前記筐体における前記収容空間を形成する壁面において前記導電部材に面実装されていることを特徴とする。
【０００７】
上記電子部品モジュールにおいて、更に、相手側コネクタと嵌合する嵌合部と、前記収容空間側から前記嵌合部に向けて前記導電部材の端子部が貫通する貫通孔とを有し、前記筐体の凹部に係合するコネクタブロックを備えることが好ましい。
【０００８】
上記電子部品モジュールにおいて、前記コネクタブロックは、前記第一筐体構成部と前記第二筐体構成部とが係合する係合方向に対して直交する方向で前記凹部に対して挿入され、前記第一筐体構成部は、挿入される前記コネクタブロックを案内する第一ガイド部を有し、前記第二筐体構成部は、挿入される前記コネクタブロックを案内する第二ガイド部を有し、前記コネクタブロックは、前記第一ガイド部によって案内される第一被案内部および前記第二ガイド部によって案内される第二被案内部を有し、前記第一被案内部は、前記係合方向における前記第二筐体構成部側とは反対側から前記第一ガイド部を係止する第一係止面を有し、前記第二被案内部は、前記係合方向における前記第一筐体構成部側とは反対側から前記第二ガイド部を係止する第二係止面を有することが好ましい。
【０００９】
上記電子部品モジュールにおいて、前記導電部材は、前記筐体の壁部の内部を通るように前記筐体にインサート成型されたバスバーであり、前記筐体は、前記バスバーにおける前記電子部品との接続部を露出させる開口を有することが好ましい。
【００１０】
上記電子部品モジュールにおいて、前記筐体は、前記筐体を収容する収容部に形成された筐体用ガイド部によって案内されるリブを有し、前記リブは、前記筐体が前記収容部に対して挿入される挿入方向に沿って延在し、前記リブにおいて、前記挿入方向に沿った一部の範囲は前記第一筐体構成部に設けられ、他の範囲が前記第二筐体構成部に設けられていることが好ましい。
【発明の効果】
【００１１】
本発明に係る電子部品モジュールは、リレーを含む電子部品と、導電部材と、第一筐体構成部と、第一筐体構成部と係合して筐体を構成する第二筐体構成部と、を備える。第一筐体構成部および第二筐体構成部は、互いに係合することで、外部空間から遮蔽され、かつ電子部品を収容する収容空間を筐体の内部に形成する。電子部品は、筐体における収容空間を形成する壁面において導電部材に面実装されている。本発明に係る電子部品モジュールによれば、第一筐体構成部および第二筐体構成部によって収容空間が外部空間から遮蔽される。よって、筐体を覆うカバーを省略して部品点数を低減できるという効果を奏する。
【図面の簡単な説明】
【００１２】
【図１】図１は、実施形態に係る電子部品モジュールの斜視図である。
【図２】図２は、実施形態の電子部品モジュールが収容部に挿入される様子を示す斜視図である。
【図３】図３は、実施形態に係る筐体の斜視図である。
【図４】図４は、実施形態に係る第一筐体構成部の斜視図である。
【図５】図５は、実施形態に係る第一筐体構成部の他の斜視図である。
【図６】図６は、実施形態に係る第一筐体構成部に電子部品が面実装された状態の斜視図である。
【図７】図７は、実施形態に係る第二筐体構成部に電子部品が面実装された状態の斜視図である。
【図８】図８は、実施形態に係る第一筐体構成部と第二筐体構成部との係合方向を示す斜視図である。
【図９】図９は、実施形態に係る筐体の下面図である。
【図１０】図１０は、実施形態に係る筐体および電子部品の断面図である。
【図１１】図１１は、実施形態に係る電子部品モジュールの下面図である。
【図１２】図１２は、実施形態に係るコネクタブロックの下面図である。
【図１３】図１３は、実施形態に係るコネクタブロックの斜視図である。
【図１４】図１４は、収容部に収容された実施形態の電子部品モジュールの上面図である。
【発明を実施するための形態】
【００１３】
以下に、本発明の実施形態に係る電子部品モジュールにつき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１４】
［実施形態］
図１から図１４を参照して、実施形態について説明する。本実施形態は、電子部品モジュールに関する。図１は、実施形態に係る電子部品モジュールの斜視図、図２は、実施形態の電子部品モジュールが収容部に挿入される様子を示す斜視図、図３は、実施形態に係る筐体の斜視図、図４は、実施形態に係る第一筐体構成部の斜視図、図５は、実施形態に係る第一筐体構成部の他の斜視図、図６は、実施形態に係る第一筐体構成部に電子部品が面実装された状態の斜視図、図７は、実施形態に係る第二筐体構成部に電子部品が面実装された状態の斜視図である。
【００１５】
図１に示すように、実施形態に係る電子部品モジュール１は、第一筐体構成部２、第二筐体構成部３、およびコネクタブロック４を有する。第一筐体構成部２および第二筐体構成部３は、互いに係合することで筐体１０を構成する。本実施形態に係る筐体１０の形状は、直方体形状である。図２に示すように、電子部品モジュール１は、電気接続箱等の収容部材１００に収容される。収容部材１００は、収容部１０１を有する。収容部１０１は、断面形状が矩形の収容空間を形成する壁部である。電子部品モジュール１は、図２に矢印Ｙ１で示す方向（以下、「挿入方向」と称する。）で収容部１０１に挿入される。電子部品モジュール１の説明において、挿入方向Ｙ１に沿った方向を「高さ方向Ｚ」と称する。また、高さ方向Ｚと直交する方向であって、筐体１０の厚さの方向を「厚さ方向Ｙ」と称する。また、高さ方向Ｚおよび厚さ方向Ｙのそれぞれと直交する方向を「幅方向Ｘ」と称する。
【００１６】
図３に示すように、筐体１０における高さ方向Ｚの一端には、凹部１１が設けられている。凹部１１には、コネクタブロック４が係合する。本明細書では、筐体１０の説明において、コネクタブロック４と係合する側を高さ方向Ｚの下側と称する場合がある。ただし、電子部品モジュール１が車両等に搭載される場合には、コネクタブロック４と係合する側が下側とならない場合がある。電子部品モジュール１は、凹部１１側の端部を先頭にして収容部材１００の収容部１０１に対して挿入される。
【００１７】
図４を参照して、第一筐体構成部２の構成について説明する。第一筐体構成部２は、図４に示すように、主壁部２０、第一側壁部２１、第二側壁部２２、第三側壁部２３、および第四側壁部２４を有する。主壁部２０、第一側壁部２１、第二側壁部２２、第三側壁部２３、および第四側壁部２４は、絶縁性の合成樹脂等によって一体に成型されている。主壁部２０は、筐体１０における幅広の側壁部となる部分である。主壁部２０は、矩形の板状の構成部である。
【００１８】
第一側壁部２１、第二側壁部２２、第三側壁部２３、および第四側壁部２４は、主壁部２０の一方の面から厚さ方向Ｙに向けて突出している。第一側壁部２１および第二側壁部２２は、筐体１０における幅狭の側壁部となる部分である。第一側壁部２１および第二側壁部２２は、高さ方向Ｚに沿って延在しており、かつ幅方向Ｘにおいて互いに対向している。第三側壁部２３は、筐体１０の凹部１１を形成する底壁部である。第四側壁部２４は、筐体１０の天井壁部である。第三側壁部２３および第四側壁部２４は、幅方向Ｘに沿って延在しており、かつ高さ方向Ｚにおいて互いに対向している。第一側壁部２１および第二側壁部２２の高さ方向Ｚの一端は第三側壁部２３と繋がっており、高さ方向Ｚの他端は第四側壁部２４と繋がっている。主壁部２０と四つの側壁部２１，２２，２３，２４とによって電子部品を収容する第一収容空間２５が形成されている。
【００１９】
第一筐体構成部２には、複数のバスバー５が固定されている。バスバー５は、電子部品が電気的に接続される導電部材である。バスバー５は、導電性の金属板によって形成されている。本実施形態のバスバー５は、インサート成型によって第一筐体構成部２と一体化されている。バスバー５は、主壁部２０、第三側壁部２３、および第四側壁部２４の内部を通っている。バスバー５の一端は、端子部５ａとなっている。端子部５ａは、第三側壁部２３から高さ方向Ｚに沿って凹部１１の内部に突出している。端子部５ａは、コネクタブロック４に係合する相手側コネクタの端子と電気的に接続される。
【００２０】
主壁部２０は、バスバー５の一部分を第一収容空間２５に露出させる複数の開口２０ａ，２０ｂを有する。開口２０ａ，２０ｂは、主壁部２０における内側面、すなわち第一収容空間２５側の面に設けられている。一つの開口２０ａからは、一つのバスバー５が第一収容空間２５に露出している。開口２０ａから露出するバスバー５には、後述するリレー６が電気的に接続される。一つの開口２０ｂからは、二つのバスバー５が第一収容空間２５に露出している。開口２０ｂから露出するバスバー５には、後述する抵抗７が電気的に接続される。リレー６および抵抗７は、第一収容空間２５、すなわち筐体１０の内部に収容される電子部品である。
【００２１】
主壁部２０は、係合孔２０ｄを有する。係合孔２０ｄは、主壁部２０における凹部１１に対応する位置に配置されている。係合孔２０ｄは、主壁部２０を板厚方向に貫通している。
【００２２】
第一側壁部２１は、係合孔２１ａを有する。係合孔２１ａは、第一側壁部２１における第四側壁部２４側の端部に配置されている。係合孔２１ａは、第一側壁部２１を板厚方向に貫通している。第二側壁部２２には、係合突起２２ａ，２２ｂ、係合孔２２ｃ、およびリブ２６，２７が設けられている。係合突起２２ａ，２２ｂは、第二側壁部２２の外側面から幅方向Ｘに向けて突出している。係合突起２２ａは、第二側壁部２２における第四側壁部２４側の端部に配置されている。係合突起２２ａは、後述する第二筐体構成部３の係合孔４１ａと係合する。係合突起２２ｂは、係合突起２２ａよりも第三側壁部２３寄りの位置に配置されている。係合突起２２ｂは、収容部材１００に設けられた係合孔や係合爪等と係合する。係合孔２２ｃは、第二側壁部２２における第三側壁部２３の近傍の位置に設けられている。係合孔２２ｃは、第二側壁部２２を板厚方向に貫通している。
【００２３】
リブ２６は、係合突起２２ｂよりも第三側壁部２３寄りの位置に配置されている。リブ２６は、第二側壁部２２における厚さ方向Ｙの先端に配置されている。リブ２６は、第二側壁部２２の外側面に繋がっており、高さ方向Ｚに沿って延在している。リブ２６の一端は、係合突起２２ｂの近傍に位置しており、他端は第一収容空間２５における高さ方向Ｚの中央部分に位置している。リブ２６は、基部２６ａおよび先端部２６ｂを有する。基部２６ａは、第二側壁部２２の外側面から幅方向Ｘに向けて突出している。先端部２６ｂは、基部２６ａの幅方向Ｘの先端から厚さ方向Ｙに向けて突出している。つまり、リブ２６は、断面形状がＬ字形状となっている。先端部２６ｂは、主壁部２０側とは反対側に向けて突出している。
【００２４】
リブ２７は、第二側壁部２２の外側面における主壁部２０側の端部に配置されている。リブ２７は、リブ２６と対をなすリブであり、高さ方向Ｚに沿って延在している。リブ２７は、第二側壁部２２の外側面において、第四側壁部２４側の端部から、高さ方向Ｚの他端の近傍まで延在している。リブ２７は、第三側壁部２３よりも凹部１１側まで設けられている。リブ２７は、基部２７ａおよび先端部２７ｂを有する。基部２７ａは、第二側壁部２２の外側面から幅方向Ｘに向けて突出している。先端部２７ｂは、基部２７ａにおける幅方向Ｘの先端から厚さ方向Ｙに向けて突出している。つまり、リブ２７は、断面形状がＬ字形状となっている。先端部２７ｂは、リブ２６側とは反対側に向けて突出している。
【００２５】
図５に示すように、第一側壁部２１には、係合突起２１ｂおよびリブ２８が設けられている。係合突起２１ｂは、第一側壁部２１の外側面から幅方向Ｘに向けて突出している。リブ２８は、第一側壁部２１の外側面における主壁部２０側の端部に配置されている。リブ２８は、高さ方向Ｚに沿って延在している。リブ２８は、基部２８ａおよび先端部２８ｂを有する。基部２８ａは、第一側壁部２１の外側面から幅方向Ｘに向けて突出している。先端部２８ｂは、基部２８ａにおける幅方向Ｘの先端から厚さ方向Ｙに向けて突出している。つまり、リブ２８は、断面形状がＬ字形状となっている。先端部２８ｂは、主壁部２０側に向けて突出している。リブ２８は、高さ方向Ｚの一方側に配置された部分２８１と、他方側に配置された部分２８２とに分かれている。二つの部分２８１，２８２の間には、後述する第二筐体構成部３のリブ４６（図７参照）が入る隙間が設けられている。
【００２６】
図６に示すように、第一筐体構成部２の内側面には、リレー６および抵抗７が面実装される。リレー６の端子部６ａは、バスバー５における開口２０ａから露出する部分に対して半田付けによって電気的に接続される。半田付けの方法は、例えば、リフロー式である。リレー６は、複数のバスバー５に対して接続される。抵抗７は、開口２０ｂから露出する二つのバスバー５に対して半田付けによって電気的に接続される。抵抗７としては、例えば、チップ抵抗が用いられる。抵抗７は、例えば、第一収容空間２５に突出しないように開口２０ｂの内方に収容される。本実施形態の第一筐体構成部２では、主壁部２０の実装面２０ｃにおいてリレー６および抵抗７がバスバー５に対して面実装される。実装面２０ｃは、主壁部２０における第一収容空間２５を形成する壁面である。言い換えると、実装面２０ｃは、主壁部２０の内側面であって、かつ第一側壁部２１、第二側壁部２２、第三側壁部２３、および第四側壁部２４によって囲まれた部分である。
【００２７】
実装面２０ｃにおいて、リレー６は、高さ方向Ｚに沿った二つの列に互い違いに配置されている。本実施形態の第一筐体構成部２では、実装面２０ｃに対して三つのリレー６が配置されている。三つのリレー６は、高さ方向Ｚに沿って配列されている。高さ方向Ｚの両端に配置された二つのリレー６１は、実装面２０ｃにおける幅方向Ｘの第二側壁部２２側の列に配置されている。高さ方向Ｚの中央に配置されたリレー６２は、実装面２０ｃにおける幅方向Ｘの第一側壁部２１側の列に配置されている。両端のリレー６１と中央のリレー６２とは、幅方向Ｘにおいて互いに異なる範囲に配置されている。
【００２８】
両端の二つのリレー６１の間には、後述する第二筐体構成部３の中央のリレー６４（図７参照）が挿入可能な隙間Ｇ１が設けられている。隙間Ｇ１の大きさは、中央のリレー６４の高さＨ３よりも大きい。中央のリレー６２と第三側壁部２３および第四側壁部２４との間には、それぞれ隙間Ｇ２が設けられている。隙間Ｇ２は、後述する第二筐体構成部３の両端のリレー６３が挿入可能な隙間である。隙間Ｇ２の大きさは、両端のリレー６３の高さＨ４よりも大きい。なお、本実施形態では、両端の二つのリレー６３において、端子部６ａを除く本体の寸法は同一であるが、二つのリレー６３の寸法は異なっていてもよい。
【００２９】
図７に示す第二筐体構成部３は、上記の第一筐体構成部２と同様に構成されている。具体的には、第二筐体構成部３は、主壁部４０、第一側壁部４１、第二側壁部４２、第三側壁部４３、および第四側壁部４４を有する。これらの壁部４０，４１，４２，４３，４４は、第一筐体構成部２の壁部２０，２１，２２，２３，２４と同様に構成されている。主壁部４０と四つの側壁部４１，４２，４３，４４とによって電子部品を収容する第二収容空間４５が形成されている。
【００３０】
第二筐体構成部３には、複数のバスバー５が固定されている。バスバー５は、インサート成型によって第二筐体構成部３と一体化されている。バスバー５は、主壁部４０、第三側壁部４３、および第四側壁部４４の内部を通っている。バスバー５の一端は、端子部５ａとなっている。端子部５ａは、第三側壁部４３から高さ方向Ｚに沿って凹部１１の内部に突出している。
【００３１】
主壁部４０は、バスバー５の一部分を第二収容空間４５に露出させる複数の開口４０ａ，４０ｂを有する。開口４０ａ，４０ｂは、主壁部４０における内面、すなわち第二収容空間４５側の面に設けられている。一つの開口４０ａからは、一つのバスバー５が第二収容空間４５に露出している。開口４０ａから露出するバスバー５には、リレー６が電気的に接続される。開口４０ｂからは、二つのバスバー５が第二収容空間４５に露出している。開口４０ｂから露出するバスバー５には、抵抗７が電気的に接続される。主壁部４０には、凹部１１に対応する位置に係合孔４０ｄが設けられている。
【００３２】
第一側壁部４１は、上記の係合孔２１ａと同様の係合孔４１ａを有する。係合孔４１ａは、第一筐体構成部２の係合突起２２ａと係合する。第二側壁部４２には、係合突起４２ａ，４２ｂ、係合孔４２ｃ、およびリブ４６，４７が設けられている。係合突起４２ａ，４２ｂは、上記の係合突起２２ａ，２２ｂと同様である。係合突起４２ａは、第一筐体構成部２の係合孔２１ａと係合する。係合突起４２ｂは、収容部材１００に設けられた係合孔や係合爪等と係合する。係合孔４２ｃは、上記の係合孔２２ｃと同様である。
【００３３】
リブ４６は、上記のリブ２６と同様に構成されている。リブ４６は、基部４６ａおよび先端部４６ｂを有する。基部４６ａは、第二側壁部４２の外側面から幅方向Ｘに向けて突出している。先端部４６ｂは、基部４６ａにおける幅方向Ｘの先端から厚さ方向Ｙに向けて突出している。先端部４６ｂは、主壁部４０側とは反対側に向けて突出している。
【００３４】
リブ４７は、上記のリブ２７と同様に構成されている。リブ４７は、基部４７ａおよび先端部４７ｂを有する。基部４７ａは、第二側壁部４２の外側面から幅方向Ｘに向けて突出している。先端部４７ｂは、基部４７ａにおける幅方向Ｘの先端から厚さ方向Ｙに向けて突出している。つまり、リブ４７は、断面形状がＬ字形状となっている。先端部４７ｂは、リブ４６側とは反対側に向けて突出している。
【００３５】
第一側壁部４１は、上記のリブ２８と同様のリブ４８を有する。リブ４８は、第一側壁部４１の外側面における主壁部４０側の端部に配置されている。リブ４８は、高さ方向Ｚに沿って延在している。リブ４８は、基部４８ａおよび先端部４８ｂを有する。基部４８ａは、第一側壁部４１の外側面から幅方向Ｘに向けて突出している。先端部４８ｂは、基部４８ａにおける幅方向Ｘの先端から厚さ方向Ｙに向けて突出している。つまり、リブ４８は、断面形状がＬ字形状となっている。先端部４８ｂは、主壁部４０側に向けて突出している。リブ４８は、高さ方向Ｚの一方側に配置された部分４８１と、他方側に配置された部分４８２とに分かれている。二つの部分４８１，４８２の間には、第一筐体構成部２のリブ２６が入る隙間が設けられている。
【００３６】
第二筐体構成部３の実装面４０ｃには、リレー６および抵抗７が面実装される。実装面４０ｃは、主壁部４０における第二収容空間４５を形成する壁面である。言い換えると、実装面４０ｃは、主壁部４０の内側面であって、かつ第一側壁部４１、第二側壁部４２、第三側壁部４３および第四側壁部４４によって囲まれた部分である。リレー６の端子部６ａは、バスバー５における開口４０ａから露出する部分に対して半田付けによって電気的に接続される。半田付けの方法は、例えば、リフロー式である。リレー６は、複数のバスバー５に対して接続される。抵抗７は、開口４０ｂから露出する二つのバスバー５に対して半田付けによって電気的に接続される。抵抗７としては、例えば、チップ抵抗が用いられる。抵抗７は、例えば、第二収容空間４５に突出しないように開口４０ｂの内方に収容される。
【００３７】
実装面４０ｃにおいて、リレー６は、高さ方向Ｚに沿った二つの列に互い違いに配置されている。三つのリレー６は、高さ方向Ｚに沿って配列されている。高さ方向Ｚの両端に配置された二つのリレー６３は、実装面４０ｃにおける幅方向Ｘの第二側壁部４２側の列に配置されている。高さ方向Ｚの中央に配置されたリレー６４は、実装面４０ｃにおける幅方向Ｘの第一側壁部４１側の列に配置されている。両端のリレー６３と中央のリレー６４とは、幅方向Ｘにおいて互いに異なる範囲に配置されている。
【００３８】
両端の二つのリレー６３の間には、第一筐体構成部２の中央のリレー６２が挿入可能な隙間Ｇ３が設けられている。隙間Ｇ３の大きさは、中央のリレー６２の高さＨ１よりも大きい。中央のリレー６４と第三側壁部４３および第四側壁部４４との間には、第一筐体構成部２の両端のリレー６１が挿入可能な隙間Ｇ４がそれぞれ設けられている。隙間Ｇ４の大きさは、両端のリレー６１の高さＨ２よりも大きい。なお、本実施形態では、両端の二つのリレー６１において、端子部６ａを除く本体の寸法は同一であるが、二つのリレー６１の寸法は異なっていてもよい。
【００３９】
図８に示すように、第一筐体構成部２と第二筐体構成部３とが係合して筐体１０が構成される。第一筐体構成部２および第二筐体構成部３は、リレー６および抵抗７が面実装された後に組み合わされる。第一筐体構成部２および第二筐体構成部３は、実装面２０ｃ，４０ｃを互いに対向させた姿勢で係合される。第一筐体構成部２および第二筐体構成部３が係合する係合方向は、厚さ方向Ｙである。第一筐体構成部２の係合突起２２ａは、第二筐体構成部３の係合孔４１ａに係合する。また、第二筐体構成部３の係合突起４１ｂは、第一筐体構成部２の係合孔２２ｃに係合する。このように係合突起２２ａ，４１ｂ等と係合孔４１ａ，２２ｃ等とが係合することで第一筐体構成部２と第二筐体構成部３とが係合する。
【００４０】
第一筐体構成部２と第二筐体構成部３とが係合すると、第一筐体構成部２の第一収容空間２５と第二筐体構成部３の第二収容空間４５とが一体となった収容空間８（図１０参照）が形成される。第一筐体構成部２および第二筐体構成部３は、この収容空間８を囲む外殻となり、収容空間８を筐体１０の外部空間から遮蔽する。つまり、第一筐体構成部２および第二筐体構成部３は、互いに係合することで、外部空間から遮蔽され、かつリレー６および抵抗７を収容する収容空間８を筐体１０の内部に形成する。
【００４１】
第一筐体構成部２と第二筐体構成部３とが係合することで、各側壁部２１，２２，２３，２４，４１，４２，４３，４４が収容空間８を遮蔽する壁部を構成する。例えば、図９に示すように、第一筐体構成部２の第三側壁部２３と第二筐体構成部３の第三側壁部４３とが当接し、収容空間８と外部空間とを仕切る一体の壁部となる。
【００４２】
図１０に示すように、第一筐体構成部２の第一側壁部２１と第二筐体構成部３の第二側壁部４２とは二重壁を構成する。第一側壁部２１が筐体１０の外壁となる範囲では、第二側壁部４２が第一側壁部２１よりも筐体１０の内側に位置して第一側壁部２１と対向する。一方、第二側壁部４２が筐体１０の外壁となる範囲では、第一側壁部２１が第二側壁部４２よりも筐体１０の内側に位置して第二側壁部４２と対向する。
【００４３】
また、第一筐体構成部２の第二側壁部２２と第二筐体構成部３の第一側壁部４１とは二重壁を構成する。第二側壁部２２が筐体１０の外壁となる範囲では、第一側壁部４１が第二側壁部２２よりも筐体１０の内側に位置して第二側壁部２２と対向する。一方、第一側壁部４１が筐体１０の外壁となる範囲では、第二側壁部２２が第一側壁部４１よりも筐体１０の内側に位置して第一側壁部４１と対向する。
【００４４】
更に、第一筐体構成部２の第四側壁部２４と第二筐体構成部３の第四側壁部４４とは二重壁を構成する。第四側壁部２４が筐体１０の外壁となる範囲では、第二筐体構成部３の第四側壁部４４が第四側壁部２４よりも筐体１０の内側に位置して第四側壁部２４と対向する。一方、第四側壁部４４が筐体１０の外壁となる範囲では、第四側壁部２４が第四側壁部４４よりも筐体１０の内側に位置して第四側壁部４４と対向する。
【００４５】
筐体１０は、このような二重壁構造により、収容空間８と筐体１０の外部空間とを遮断する。以上のように、本実施形態の筐体１０は、収容空間８を外部空間から遮蔽し、収容空間８を外部空間と仕切っている。本実施形態では、リレー６を含む電子部品は、実装面２０ｃ，４０ｃにおいてバスバー５に対して面実装される。従って、第一筐体構成部２および第二筐体構成部３にスルーホールを形成する必要がない。これにより、第一筐体構成部２の主壁部２０は、収容空間８と筐体１０の外部空間とを連通するような孔を有しておらず収容空間８を外部空間に対して遮蔽している。同様に、第二筐体構成部３の主壁部４０は、収容空間８と筐体１０の外部空間とを連通するような孔を有しておらず、収容空間８を外部空間に対して遮蔽している。
【００４６】
また、第一筐体構成部２の第一側壁部２１、第二側壁部２２、および第四側壁部２４は、第二筐体構成部３の第一側壁部４１、第二側壁部４２、および第四側壁部４４と二重壁を構成しており、収容空間８を筐体１０の外部空間から遮蔽している。また、第一筐体構成部２の第三側壁部２３および第二筐体構成部３の第三側壁部４３は、互いに当接して一体の壁部となり、収容空間８を筐体１０の外部空間から遮蔽している。従って、筐体１０において、収容空間８を囲む六つの壁部は、それぞれ収容空間８を筐体１０の外部空間から遮蔽して閉空間としている。
【００４７】
第一筐体構成部２と第二筐体構成部３とが係合すると、図１に示すように、第一筐体構成部２のリブ２８と第二筐体構成部３のリブ４６とが連続する。リブ４６は、リブ２８の一方の部分２８１と他方の部分２８２との間に入って、これらの部分２８１，２８２を繋ぐ。リブ４６とリブ２８とは連続した一連のリブ１２を構成する。また、図２に示すように、第一筐体構成部２のリブ２６と第二筐体構成部３のリブ４８とが連続する。リブ２６は、リブ４８の一方の部分４８１と他方の部分４８２との間に入って、これらの部分４８１，４８２を繋ぐ。リブ２６とリブ４８とは連続した一連のリブ１３を構成する。
【００４８】
本実施形態の電子部品モジュール１では、コネクタブロック４によって、収容空間８を外部空間から遮蔽する遮蔽性が高められている。図１１に示すように、コネクタブロック４は、筐体１０の凹部１１に挿入されて筐体１０と係合する。凹部１１に対するコネクタブロック４の挿入方向は、高さ方向Ｚである。つまり、コネクタブロック４は、第一筐体構成部２と第二筐体構成部３とが係合する係合方向に対して直交する方向で筐体１０に対して係合する。
【００４９】
コネクタブロック４は、第一筐体構成部２の第三側壁部２３と第二筐体構成部３の第三側壁部４３との当接部を覆う。従って、コネクタブロック４は、第一筐体構成部２の第三側壁部２３と第二筐体構成部３の第三側壁部４３との隙間を介した水や異物の侵入を規制する。言い換えると、コネクタブロック４は、筐体１０の収容空間８を筐体１０の外部空間から遮蔽している。
【００５０】
次に、筐体１０とコネクタブロック４との係合機構について説明する。図１２および図１３に示すように、コネクタブロック４の外形は、直方体形状である。コネクタブロック４は、絶縁性の合成樹脂等によって成型されている。コネクタブロック４は、相手側のコネクタと嵌合する二つの嵌合部４ａ，４ｂを有する。嵌合部４ａ，４ｂは、角筒状の構成部である。嵌合部４ａと嵌合部４ｂとは仕切り壁４ｅによって仕切られている。図１２に示すように、嵌合部４ａの奥側壁部には、バスバー５の端子部５ａが貫通する複数の貫通孔４ｃが設けられている。嵌合部４ｂの奥側壁部には、バスバー５の端子部５ａが貫通する複数の貫通孔４ｄが設けられている。コネクタブロック４の側面には、係合突起４ｆが設けられている。係合突起４ｆは、第一筐体構成部２の係合孔２０ｄおよび第二筐体構成部３の係合孔４０ｄと係合する。
【００５１】
コネクタブロック４は、第一被案内部７０、および第二被案内部８０を有する。第一被案内部７０は、後述する第一ガイド部３５（図９参照）によって案内される。第二被案内部８０は、後述する第二ガイド部５５によって案内される。第一被案内部７０は、端部リブ７１，７３および中央リブ７２を有する。端部リブ７１，７３および中央リブ７２は、コネクタブロック４における厚さ方向Ｙの一方の側面４ｇに配置されている。端部リブ７１，７３および中央リブ７２は、高さ方向Ｚ、すなわちコネクタブロック４が凹部１１に対して挿入される挿入方向に沿って延在している。
【００５２】
端部リブ７１は、幅方向Ｘの一端に配置され、端部リブ７３は、幅方向Ｘの他端に配置されている。端部リブ７１，７３は、基部７１ａ，７３ａおよび先端部７１ｂ，７３ｂを有する。基部７１ａ，７３ａは、側面４ｇから厚さ方向Ｙに向けて突出している。先端部７１ｂ，７３ｂは、基部７１ａ，７３ａにおける厚さ方向Ｙの先端から幅方向Ｘに向けて突出している。つまり、端部リブ７１，７３は、断面形状がＬ字形状となっている。先端部７１ｂ，７３ｂは、中央リブ７２側とは反対側に向けて突出している。先端部７１ｂ，７３ｂは、第一係止面７１ｃ，７３ｃを有する。第一係止面７１ｃ，７３ｃは、厚さ方向Ｙにおけるコネクタブロック４の中央側を向く面、言い換えると第二被案内部８０側を向く面である。
【００５３】
中央リブ７２は、幅方向Ｘの中央部に配置されている。中央リブ７２は、基部７２ａおよび先端部７２ｂ，７２ｃを有する。基部７２ａは、側面４ｇから厚さ方向Ｙに向けて突出している。先端部７２ｂ，７２ｃは、基部７２ａにおける厚さ方向Ｙの先端から幅方向Ｘに向けて突出している。一方の先端部７２ｂは、端部リブ７１側に向けて突出しており、他方の先端部７２ｃは、端部リブ７３側に向けて突出している。つまり、中央リブ７２は、断面形状がＴ字形状となっている。先端部７２ｂ，７２ｃは、第一係止面７２ｄ，７２ｅを有する。第一係止面７２ｄ，７２ｅは、厚さ方向Ｙにおける中央側を向く面、言い換えると第二被案内部８０側を向く面である。
【００５４】
第二被案内部８０は、端部リブ８１，８３および中央リブ８２を有する。端部リブ８１，８３および中央リブ８２は、コネクタブロック４における厚さ方向Ｙの他方の側面４ｈに配置されている。端部リブ８１，８３および中央リブ８２は、高さ方向Ｚに沿って延在している。
【００５５】
端部リブ８１は、幅方向Ｘの一端に配置され、端部リブ８３は、幅方向Ｘの他端に配置されている。端部リブ８１，８３は、基部８１ａ，８３ａおよび先端部８１ｂ，８３ｂを有する。基部８１ａ，８３ａは、側面４ｈから厚さ方向Ｙに向けて突出している。先端部８１ｂ，８３ｂは、基部８１ａ，８３ａにおける厚さ方向Ｙの先端から幅方向Ｘに向けて突出している。つまり、端部リブ８１，８３は、断面形状がＬ字形状となっている。先端部８１ｂ，８３ｂは、中央リブ８２側とは反対側に向けて突出している。先端部８１ｂ，８３ｂは、第二係止面８１ｃ，８３ｃを有する。第二係止面８１ｃ，８３ｃは、厚さ方向Ｙにおけるコネクタブロック４の中央側を向く面、言い換えると第一被案内部７０側を向く面である。
【００５６】
中央リブ８２は、幅方向Ｘの中央部に配置されている。中央リブ８２は、基部８２ａおよび先端部８２ｂ，８２ｃを有する。基部８２ａは、側面４ｈから厚さ方向Ｙに向けて突出している。先端部８２ｂ，８２ｃは、基部８２ａにおける厚さ方向Ｙの先端から幅方向Ｘに向けて突出している。一方の先端部８２ｂは、端部リブ８１側に向けて突出しており、他方の先端部８２ｃは、端部リブ８３側に向けて突出している。つまり、中央リブ８２は、断面形状がＴ字形状となっている。先端部８２ｂ，８２ｃは、第二係止面８２ｄ，８２ｅを有する。第二係止面８２ｄ，８２ｅは、厚さ方向Ｙにおけるコネクタブロック４の中央側を向く面、言い換えると第一被案内部７０側を向く面である。
【００５７】
図９に示すように、第一筐体構成部２は、第一ガイド部３５を有する。第一ガイド部３５は、端部ガイド部２９，３０，３３，３４および中央ガイド部３１，３２を含む。端部ガイド部２９，３０，３３，３４および中央ガイド部３１，３２は、高さ方向Ｚに沿って延在している。端部ガイド部２９，３０は、幅方向Ｘの一端に配置され、端部ガイド部３３，３４は、幅方向Ｘの他端に配置されている。端部ガイド部２９，３０，３３，３４は、角柱状または板状のリブである。端部ガイド部３０，３３は、主壁部２０の内側面から厚さ方向Ｙに向けて突出している。端部ガイド部２９は、第一側壁部２１の内側面から幅方向Ｘに向けて突出している。端部ガイド部３４は、第二側壁部２２の内側面から幅方向Ｘに向けて突出している。端部ガイド部２９，３４は、端部ガイド部３０，３３の先端部に向けて突出している。
【００５８】
中央ガイド部３１，３２は、幅方向Ｘの中央に配置されている。中央ガイド部３１，３２は、基部３１ａ，３２ａおよび先端部３１ｂ，３２ｂを有する。基部３１ａ，３２ａは、主壁部２０の内側面から厚さ方向Ｙに向けて突出している。先端部３１ｂ，３２ｂは、基部３１ａ，３２ａにおける厚さ方向Ｙの先端から幅方向Ｘに向けて突出している。先端部３１ｂは先端部３２ｂ側に向けて突出しており、先端部３２ｂは先端部３１ｂ側に向けて突出している。このように、中央ガイド部３１，３２は、断面形状がＬ字形状となっているリブである。
【００５９】
第二筐体構成部３は、第二ガイド部５５を有する。第二ガイド部５５は、端部ガイド部４９，５０，５３，５４および中央ガイド部５１，５２を含む。端部ガイド部４９，５０，５３，５４および中央ガイド部５１，５２は、高さ方向Ｚに沿って延在している。端部ガイド部４９，５０は、幅方向Ｘの一端に配置され、端部ガイド部５３，５４は、幅方向Ｘの他端に配置されている。端部ガイド部４９，５０，５３，５４は、角柱状または板状のリブである。端部ガイド部５０，５３は、主壁部４０の内側面から厚さ方向Ｙに向けて突出している。端部ガイド部４９は、第二側壁部４２の内側面から幅方向Ｘに向けて突出している。端部ガイド部５４は、第一側壁部４１の内側面から幅方向Ｘに向けて突出している。端部ガイド部４９，５４は、端部ガイド部５０，５３の先端部に向けて突出している。
【００６０】
中央ガイド部５１，５２は、幅方向Ｘの中央部に配置されている。中央ガイド部５１，５２は、基部５１ａ，５２ａおよび先端部５１ｂ，５２ｂを有する。基部５１ａ，５２ａは、主壁部４０の内側面から厚さ方向Ｙに向けて突出している。先端部５１ｂ，５２ｂは、基部５１ａ，５２ａにおける厚さ方向Ｙの先端から幅方向Ｘに向けて突出している。先端部５１ｂは先端部５２ｂ側に向けて突出しており、先端部５２ｂは先端部５１ｂ側に向けて突出している。つまり、中央ガイド部５１，５２は、断面形状がＬ字形状となっているリブである。
【００６１】
図１１に示すように、凹部１１にコネクタブロック４が挿入される際に、コネクタブロック４の端部リブ７１は、第一筐体構成部２の端部ガイド部２９，３０によって案内される。端部リブ７１の先端部７１ｂは、端部ガイド部２９と主壁部２０との隙間に入り込む。端部リブ７１の第一係止面７１ｃは、厚さ方向Ｙにおける第二筐体構成部３側とは反対側から端部ガイド部２９を係止する。第一係止面７１ｃは、端部ガイド部２９を係止することにより、第二筐体構成部３から離間する方向（図１１に矢印Ｙ２で示す方向）への第一筐体構成部２の移動を規制する。言い換えると、第一係止面７１ｃは、第二筐体構成部３との係合が解除される方向への第一筐体構成部２の移動を規制する。
【００６２】
端部リブ７３は、端部ガイド部３３，３４によって案内される。端部リブ７３の先端部７３ｂは、端部ガイド部３４と主壁部２０との隙間に入り込む。端部リブ７３の第一係止面７３ｃは、厚さ方向Ｙにおける第二筐体構成部３側とは反対側から端部ガイド部３４を係止する。第一係止面７３ｃは、端部ガイド部３４を係止することにより、第二筐体構成部３から離間する方向への第一筐体構成部２の移動を規制する。
【００６３】
中央リブ７２は、中央ガイド部３１，３２によって案内される。中央リブ７２の先端部７２ｂは、中央ガイド部３１の先端部３１ｂと主壁部２０との隙間に入り込む。中央リブ７２の先端部７２ｃは、中央ガイド部３２の先端部３２ｂと主壁部２０との隙間に入り込む。中央リブ７２の第一係止面７２ｄ，７２ｅは、厚さ方向Ｙにおける第二筐体構成部３側とは反対側から中央ガイド部３１，３２の先端部３１ｂ，３２ｂを係止する。第一係止面７２ｄ，７２ｅは、中央ガイド部３１，３２を係止することにより、第二筐体構成部３から離間する方向への第一筐体構成部２の移動を規制する。
【００６４】
端部リブ８１は、第二筐体構成部３の端部ガイド部４９，５０によって案内される。端部リブ８１の先端部８１ｂは、端部ガイド部４９と主壁部４０との隙間に入り込む。端部リブ８１の第二係止面８１ｃは、厚さ方向Ｙにおける第一筐体構成部２側とは反対側から端部ガイド部４９を係止する。第二係止面８１ｃは、端部ガイド部４９を係止することにより、第一筐体構成部２から離間する方向（図１１に矢印Ｙ３で示す方向）への第二筐体構成部３の移動を規制する。言い換えると、第二係止面８１ｃは、第一筐体構成部２との係合が解除される方向への第二筐体構成部３の移動を規制する。
【００６５】
端部リブ８３は、端部ガイド部５３，５４によって案内される。端部リブ８３の先端部８３ｂは、端部ガイド部５４と主壁部４０との隙間に入り込む。端部リブ８３の第二係止面８３ｃは、厚さ方向Ｙにおける第一筐体構成部２側とは反対側から端部ガイド部５４を係止する。第二係止面８３ｃは、端部ガイド部５４を係止することにより、第一筐体構成部２から離間する方向への第二筐体構成部３の移動を規制する。
【００６６】
中央リブ８２は、中央ガイド部５１，５２によって案内される。中央リブ８２の先端部８２ｂは、中央ガイド部５１の先端部５１ｂと主壁部４０との隙間に入り込む。中央リブ８２の先端部８２ｃは、中央ガイド部５２の先端部５２ｂと主壁部４０との隙間に入り込む。中央リブ８２の第二係止面８２ｄ，８２ｅは、厚さ方向Ｙにおける第一筐体構成部２側とは反対側から中央ガイド部５１，５２の先端部５１ｂ，５２ｂを係止する。第二係止面８２ｄ，８２ｅは、中央ガイド部５１，５２を係止することにより、第一筐体構成部２から離間する方向への第二筐体構成部３の移動を規制する。
【００６７】
このように、本実施形態のコネクタブロック４は、第一筐体構成部２の移動を規制する第一係止面７１ｃ，７２ｄ，７２ｅ，７３ｃと、第二筐体構成部３の移動を規制する第二係止面８１ｃ，８２ｄ，８２ｅ，８３ｃと、を有する。第一係止面７１ｃ，７２ｄ，７２ｅ，７３ｃおよび第二係止面８１ｃ，８２ｄ，８２ｅ，８３ｃは、厚さ方向Ｙにおいて第一筐体構成部２および第二筐体構成部３を挟み込んでいる。よって、本実施形態のコネクタブロック４は、第一筐体構成部２と第二筐体構成部３との係合が解除されてしまうような係合方向の相対移動を規制する。
【００６８】
コネクタブロック４は、第一筐体構成部２および第二筐体構成部３が係合方向において互いに押圧しあうように第一筐体構成部２および第二筐体構成部３を保持してもよい。例えば、コネクタブロック４の各部の寸法は、第一係止面７１ｃ，７２ｄ，７２ｅ，７３ｃが各ガイド部２９，３１，３２，３４を第二筐体構成部３に向けて押圧し、第二係止面８１ｃ，８２ｄ，８２ｅ，８３ｃが各ガイド部４９，５１，５２，５４を第一筐体構成部２に向けて押圧するように定められる。設定される寸法は、例えば、第一係止面７１ｃ，７２ｄ，７２ｅ，７３ｃと第二係止面８１ｃ，８２ｄ，８２ｅ，８３ｃとの間の厚さ方向Ｙにおける間隔である。
【００６９】
筐体１０に対してコネクタブロック４が係合すると、電子部品モジュール１が完成する。本実施形態の電子部品モジュール１では、第一筐体構成部２および第二筐体構成部３が外殻部材となっている。言い換えると、リレー６および抵抗７が実装される第一筐体構成部２および第二筐体構成部３が、防水や防塵用のカバーを兼ねている。本実施形態の電子部品モジュール１では、収容空間８への水や異物の侵入を防ぐための、筐体１０を覆うカバーが省略可能である。よって、部品点数の低減や電子部品モジュール１の小型化が可能である。
【００７０】
図１４に示すように、電子部品モジュール１は、収容部材１００の収容部１０１に挿入される。収容部１０１には、筐体用ガイド部１０２，１０３，１０４，１０５、および突起部１０６，１０７が形成されている。筐体用ガイド部１０２，１０３，１０４，１０５は、収容部１０１における厚さ方向Ｙにおいて互いに対向する一対の壁面１０１ａに設けられている。筐体用ガイド部１０２，１０３，１０４，１０５は、壁面１０１ａから厚さ方向Ｙに向けて突出しているリブである。筐体用ガイド部１０２，１０３，１０４，１０５は、高さ方向Ｚに沿って延在している。一対の筐体用ガイド部１０２，１０３は、厚さ方向Ｙにおいて互いに対向している。また、一対の筐体用ガイド部１０４，１０５は、厚さ方向Ｙにおいて互いに対向している。
【００７１】
筐体用ガイド部１０２は、筐体１０の側面とリブ１２との隙間に入り、リブ１２を案内する。同様に、筐体用ガイド部１０３は、筐体１０の側面とリブ４７との隙間に入り、リブ４７を案内する。筐体用ガイド部１０４は、筐体１０の側面とリブ２７との隙間に入り、リブ２７を案内する。筐体用ガイド部１０５は、筐体１０の側面とリブ１３との隙間に入り、リブ１３を案内する。
【００７２】
突起部１０６，１０７は、収容部１０１における幅方向Ｘにおいて互いに対向する一対の壁面に設けられている。突起部１０６，１０７は、幅方向Ｘに向けて突出している。突起部１０６は、リブ１２とリブ４７との隙間に入り、筐体１０と係合する。突起部１０７は、リブ１３とリブ２７との隙間に入り、筐体１０と係合する。突起部１０６は、筐体用ガイド部１０２との間にリブ１２を挟み込み、リブ１２を構成するリブ２８とリブ４６との相対移動を規制する。また、突起部１０６は、筐体用ガイド部１０３との間にリブ４７を挟み込む。突起部１０７は、筐体用ガイド部１０４との間にリブ２７を挟み込む。突起部１０７は、筐体用ガイド部１０５との間にリブ１３を挟み込み、リブ１３を構成するリブ２６とリブ４８との相対移動を規制する。
【００７３】
第一筐体構成部２のリブ２８および第二筐体構成部３のリブ４６が一つの筐体用ガイド部１０２と噛み合うことで、リブ２８とリブ４６との相対変位が生じにくくされている。更に、突起部１０６が筐体用ガイド部１０２との間にリブ２８およびリブ４６を挟み込んでいる。また、第一筐体構成部２のリブ２６および第二筐体構成部３のリブ４８が一つの筐体用ガイド部１０５と噛み合うことで、リブ２６とリブ４８との相対変位が生じにくくされている。更に、突起部１０７が筐体用ガイド部１０５との間にリブ２６およびリブ４８を挟み込んでいる。従って、本実施形態の電子部品モジュール１によれば、収容部１０１が筐体１０を保持する保持力が向上する。
【００７４】
以上説明したように、本実施形態の電子部品モジュール１は、リレー６を含む電子部品と、バスバー５と、第一筐体構成部２と、第二筐体構成部３と、を有する。第二筐体構成部３は、第一筐体構成部２と係合して筐体１０を構成する。第一筐体構成部２および第二筐体構成部３は、互いに係合することで、外部空間から遮断され、かつ電子部品を収容する収容空間８を筐体１０の内部に形成する。電子部品は、筐体１０における収容空間８を形成する壁面においてバスバー５に面実装される。
【００７５】
本実施形態の電子部品モジュール１では、第一筐体構成部２および第二筐体構成部３が収容空間８を外部空間から遮断する。よって、第一筐体構成部２および第二筐体構成部３の外側を覆うカバーを省略して部品点数を低減することが可能となる。
【００７６】
また、電子部品モジュール１は、更に、コネクタブロック４を有する。コネクタブロック４は、相手側コネクタと嵌合する嵌合部４ａ，４ｂと、貫通孔４ｃ，４ｄとを有し、筐体１０の凹部１１に係合する。貫通孔４ｃ，４ｄには、収容空間８側から嵌合部４ａ，４ｂに向けてバスバー５の端子部５ａが貫通する。凹部１１にコネクタブロック４が係合することによって、収容空間８を外部空間から遮断する遮断性が向上する。
【００７７】
また、本実施形態の電子部品モジュール１において、コネクタブロック４は、第一筐体構成部２と第二筐体構成部３とが係合する係合方向に対して直交する方向で凹部１１に対して挿入される。第一筐体構成部２は、挿入されるコネクタブロック４を案内する第一ガイド部３５を有する。第二筐体構成部３は、挿入されるコネクタブロック４を案内する第二ガイド部５５を有する。コネクタブロック４は、第一ガイド部３５によって案内される第一被案内部７０および第二ガイド部５５によって案内される第二被案内部８０を有する。
【００７８】
第一被案内部７０は、上記の係合方向における第二筐体構成部３側とは反対側から第一ガイド部３５を係止する第一係止面７１ｃ，７２ｄ，７２ｅ，７３ｃを有する。第二被案内部８０は、上記の係合方向における第一筐体構成部２側とは反対側から第二ガイド部５５を係止する第二係止面８１ｃ，８２ｄ，８２ｅ，８３ｃを有する。第一係止面７１ｃ，７２ｄ，７２ｅ，７３ｃおよび第二係止面８１ｃ，８２ｄ，８２ｅ，８３ｃは、第一筐体構成部２と第二筐体構成部３との相対移動を規制し、筐体１０が第一筐体構成部２と第二筐体構成部３とに分離してしまうことを未然に抑制する。
【００７９】
本実施形態の電子部品モジュール１において、導電部材は、筐体１０の壁部の内部を通るように筐体１０にインサート成型されたバスバー５である。また、筐体１０は、バスバー５における電子部品との接続部を露出させる開口２０ａ，２０ｂ，４０ａ，４０ｂを有する。このような構成の筐体１０では、バスバー５によって筐体１０の強度を向上させ、電子部品を保護することが可能である。
【００８０】
本実施形態の電子部品モジュール１において、筐体１０は、収容部１０１に形成された筐体用ガイド部１０２，１０３，１０４，１０５によって案内されるリブ１２，１３を有する。リブ１２，１３は、筐体１０が収容部１０１に対して挿入される挿入方向に沿って延在する。リブ１２，１３において、挿入方向に沿った一部の範囲は第一筐体構成部２に設けられ、他の範囲が第二筐体構成部３に設けられている。例えば、リブ１２において、一部の範囲のリブ２８は第一筐体構成部２に設けられ、他の範囲のリブ４８は第二筐体構成部３に設けられている。このようなリブ１２，１３を有する筐体１０は、収容部１０１によって筐体１０が保持される保持力を向上させることができる。
【００８１】
［実施形態の変形例］
実施形態の変形例について説明する。リレー６や抵抗７を面実装するための接続方法は、リフロー式の半田付けには限定されない。接続方法は、例えば、リフロー式以外の半田付けや、圧接等であってもよい。
【００８２】
収容空間８に配置される電子部品には、リレー６および抵抗７以外のものが含まれてもよい。また、収容空間８において筐体１０に実装される電子部品の数や配置は、例示したものには限定されない。上記実施形態では、第一筐体構成部２および第二筐体構成部３の両方に電子部品が実装されたが、何れか一方に電子部品が配置されてもよい。一例として、第一筐体構成部２に電子部品が面実装され、第二筐体構成部３は収容空間８を閉塞する蓋とされてもよい。第一筐体構成部２の形状と第二筐体構成部３の形状とは異なっていてもよい。第一筐体構成部２および第二筐体構成部３において、実装面２０ｃ，４０ｃ以外の壁面にリレー６や抵抗７が面実装されてもよい。
【００８３】
バスバー５が筐体１０に固定される方法は、インサート成型には限定されない。成型された筐体１０に対して後からバスバー５が固定されてもよい。電子部品に接続される導電部材は、バスバー５には限定されない。バスバー５に代えて他の導電部材が用いられても、バスバー５に加えて他の導電部材が用いられてもよい。
【００８４】
筐体１０を構成する筐体構成部の数は、例示したものには限定されない。例えば、筐体１０は、三つ以上の筐体構成部が係合して構成されてもよい。
【００８５】
上記の実施形態および変形例に開示された内容は、適宜組み合わせて実行することができる。
【符号の説明】
【００８６】
１  電子部品モジュール
２  第一筐体構成部
３  第二筐体構成部
４  コネクタブロック
４ａ，４ｂ  嵌合部
４ｃ，４ｄ  貫通孔
４ｅ  仕切り壁
４ｆ  係合突起
４ｇ，４ｈ  側面
５  バスバー（導電部材）
５ａ  端子部
６  リレー（電子部品）
６ａ  端子部
７  抵抗（電子部品）
８  収容空間
１０  筐体
１１  凹部
１２，１３  リブ
２０  主壁部
２０ａ，２０ｂ  開口
２０ｃ  実装面
２０ｄ  係合孔
２１  第一側壁部
２１ａ  係合孔
２１ｂ  係合突起
２２  第二側壁部
２２ａ，２２ｂ  係合突起
２３  第三側壁部
２４  第四側壁部
２５  第一収容空間（収容空間）
２６  リブ
２６ａ  基部
２６ｂ  先端部
２７  リブ
２７ａ  基部
２７ｂ  先端部
２８  リブ
２９，３０，３３，３４  端部ガイド部
３１，３２  中央ガイド部
３５  第一ガイド部
４０  主壁部
４０ａ，４０ｂ  開口
４０ｃ  実装面
４０ｄ  係合孔
４１  第一側壁部
４１ａ  係合孔
４２  第二側壁部
４３  第三側壁部
４４  第四側壁部
４５  第二収容空間（収容空間）
４６，４７，４８  リブ
４９，５０，５３，５４  端部ガイド部
５１，５２  中央ガイド部
５５  第二ガイド部
６１  両端のリレー
６２  中央のリレー
７０  第一被案内部
７１，７３  端部リブ
７１ａ，７３ａ  基部
７１ｂ，７３ｂ  先端部
７１ｃ，７２ｄ，７２ｅ，７３ｃ  第一係止面
７２  中央リブ
８０  第二被案内部
８１，８３  端部リブ
８１ａ，８３ａ  基部
８１ｂ，８３ｂ  先端部
８１ｃ，８２ｄ，８２ｅ，８３ｃ  第二係止面
８２  中央リブ
１００  収容部材
１０１  収容部
１０１ａ  壁面
１０２，１０３，１０４，１０５  筐体用ガイド部
Ｇ１，Ｇ２  隙間
Ｙ１  挿入方向
【図１】
2018113184.tif 000003
【図２】
2018113184.tif 000004
【図３】
2018113184.tif 000005
【図４】
2018113184.tif 000006
【図５】
2018113184.tif 000007
【図６】
2018113184.tif 000008
【図７】
2018113184.tif 000009
【図８】
2018113184.tif 000010
【図９】
2018113184.tif 000011
【図１０】
2018113184.tif 000012
【図１１】
2018113184.tif 000013
【図１２】
2018113184.tif 000014
【図１３】
2018113184.tif 000015
【図１４】
2018113184.tif 000016